(57)【要約】【課題】通話や通信を行いながら、容易に相手と出会うことが可能な携帯端末装置を提供する。【解決手段】他の端末と通信又は通話を行う通信手段と、通信手段による通信又は通話中に通信相手の位置情報を取得する相手位置取得手段と、自身の位置情報を取得する現在地取得手段と、現在地取得手段による自身の位置から、相手位置取得手段により取得した位置への到達経路を算出する経路算出手段と、経路算出手段により算出した情報を表示する表示手段と、を備える。【選択図】図５
2010192994.tif 000002
【特許請求の範囲】
【請求項１】
他の端末と通信又は通話を行う通信手段と、
前記通信手段による通信又は通話中に通信相手の位置情報を取得する相手位置取得手段と、
自身の位置情報を取得する現在地取得手段と、
前記現在地取得手段による自身の位置から、前記相手位置取得手段により取得した位置への到達経路を算出する経路算出手段と、
前記経路算出手段により算出した情報を表示する表示手段と、を備えることを特徴とする携帯端末装置。
【請求項２】
前記経路算出手段は、前記相手位置取得手段により取得した位置へ到達する最短経路を算出することを特徴とする請求項１記載の携帯端末装置。
【請求項３】
前記経路算出手段は、前記相手位置取得手段により取得した位置へ到達するための複数の経路を算出することを特徴とする請求項１又は２記載の携帯端末装置。
【請求項４】
前記経路算出手段は、前記到達経路の中間地点を算出することを特徴とする請求項１から３のいずれか１項に記載の携帯端末装置。
【請求項５】
前記相手位置取得手段は、前記相手の位置との中間地点の情報を取得し、
前記経路算出手段は、前記中間地点までの到達経路を算出することを特徴とする請求項１から３のいずれか１項に記載の携帯端末装置。
【請求項６】
前記現在地取得手段は、複数の基地局の位置情報から自身の現在地を取得することを特徴とする請求項１から５のいずれか１項に記載の携帯端末装置。
【請求項７】
互いに通信又は通話を行う２つの携帯端末装置と、を有する携帯端末システムであって、
前記携帯端末装置は、
他の携帯端末装置と通信又は通話を行う第１の通信手段と、
前記第１の通信手段による通信又は通話中に通信相手の位置情報を取得する第１の相手位置取得手段と、
自身の位置情報を取得する第１の現在地取得手段と、
前記第１の現在地取得手段による自身の位置から、前記第１の相手位置取得手段により取得した位置への到達経路を算出する第１の経路算出手段と、
前記第１の経路算出手段により算出した情報を表示する第１の表示手段と、を備え、
前記他の携帯端末装置は、
前記携帯端末装置と通信又は通話を行う第２の通信手段と、
自身の位置情報を取得する第２の現在地取得手段と、
前記第２の通信手段による通信又は通話中に、前記第２の現在地取得手段により取得した位置情報を前記携帯端末装置へ送信する第２の位置情報送信手段と、を備えることを特徴とする携帯端末システム。
【請求項８】
前記第１の経路算出手段は、前記第１の相手位置取得手段により取得した位置へ到達する最短経路を算出することを特徴とする請求項７記載の携帯端末システム。
【請求項９】
前記第１の経路算出手段は、前記第１の相手位置取得手段により取得した位置へ到達するための複数の経路を算出することを特徴とする請求項７又は８記載の携帯端末システム。
【請求項１０】
前記第１の経路算出手段は、前記到達経路の中間地点を算出することを特徴とする請求項７から９のいずれか１項に記載の携帯端末システム。
【請求項１１】
前記携帯端末装置は、前記第１の通信手段による通信又は通話中に、前記中間地点を前記他の携帯端末装置へ送信する第１の位置情報送信手段を備え、
前記他の携帯端末装置は、前記第２の通信手段による通信又は通話中に前記第１の位置情報送信手段により送信された情報を取得する第２の相手位置取得手段と、
前記第２の相手位置取得手段により取得した中間地点までの到達経路を算出する第２の経路算出手段と、
前記第２の経路算出手段により算出した情報を表示する第２の表示手段と、を備えることを特徴とする請求項１０記載の携帯端末システム。
【請求項１２】
２つ以上の無線通信を中継する基地局を有し、
前記第１及び／又は第２の現在地取得手段は、複数の前記基地局の位置情報から自身の現在地を取得することを特徴とする請求項７から１１のいずれか１項に記載の携帯端末システム。
【請求項１３】
他の端末と通信又は通話を行う通信ステップと、
前記通信ステップによる通信又は通話中に通信相手の位置情報を取得する相手位置取得ステップと、
取得した自身の位置から、前記相手位置取得ステップにより取得した位置への到達経路を算出する経路算出ステップと、
前記経路算出ステップにより算出した情報を表示する表示ステップと、を備えることを特徴とする携帯端末装置の位置確認方法。
【請求項１４】
互いに通信又は通話を行う２つの携帯端末装置と、を備える携帯端末システムの位置確認方法であって、
前記携帯端末装置による他の携帯端末装置と通信又は通話を行う第１の通信ステップと、
前記他の携帯端末装置による前記携帯端末装置と通信又は通話を行う第２の通信ステップと、
前記第２の通信ステップによる通信又は通話中に、取得した自身の位置情報を前記携帯端末装置へ送信する第２の位置情報送信ステップと、
前記携帯端末装置による前記第１の通信ステップの通信又は通話中に通信相手の位置情報を取得する第１の相手位置取得ステップと、
取得した自身の位置から、前記第１の相手位置取得ステップにより取得した位置への到達経路を算出する第１の経路算出ステップと、
前記第１の経路算出ステップにより算出した情報を表示する第１の表示ステップと、を備えることを特徴とする携帯端末システムの位置確認方法。
【請求項１５】
他の端末と通信又は通話を行う通信処理と、
前記通信処理による通信又は通話中に通信相手の位置情報を取得する相手位置取得処理と、
取得した自身の位置から、前記相手位置取得処理により取得した位置への到達経路を算出する経路算出処理と、
前記経路算出処理により算出した情報を表示する表示処理と、をコンピュータに実行させるプログラム。
【請求項１６】
携帯端末装置による他の携帯端末装置と通信又は通話を行う第１の通信処理と、
他の携帯端末装置による前記携帯端末装置と通信又は通話を行う第２の通信処理と、
前記第２の通信処理による通信又は通話中に、取得した自身の位置情報を前記携帯端末装置へ送信する第２の位置情報送信処理と、
前記携帯端末装置による前記第１の通信処理の通信又は通話中に通信相手の位置情報を取得する第１の相手位置取得処理と、
取得した自身の位置から、前記第１の相手位置取得処理により取得した位置への到達経路を算出する第１の経路算出処理と、
前記第１の経路算出処理により算出した情報を表示する第１の表示処理と、をコンピュータに実行させるプログラム。
【発明の詳細な説明】
【技術分野】
【０００１】
本発明は、通話や通信を行いながら、相手の位置を確認することが可能な携帯端末装置、携帯端末システム、それらの位置確認方法及びプログラムに関する。
【背景技術】
【０００２】
現在、携帯端末装置は広く普及しており、待ち合わせなどでは該端末で通話をしながら相手が探される。しかしながら、通話をしながらでも相手に意思をうまく伝えられず、探し出すことが困難な場合が多い。特に、多くの人が待ち合わせる場所の人ごみの中では近くにいても、相手を見つけることができない場合がある。また、初めての待ち合わせ場所で、初めての相手では伝わらないことが多い。
【０００３】
また、子供やお年寄りが初めての場所で迷子になった場合、通話しながらどこにいるか確認しても、位置を正確に説明することが難しい場合がある。
【０００４】
そこで、例えば特許文献１では、通話中の相手の現在位置及び自身の現在位置を記した地図を表示することによって、通話中の相手の位置と自分の位置とを視覚的に認識することができる技術について記載されている。
【先行技術文献】
【特許文献】
【０００５】
【特許文献１】特開２００８−１６０５２９号公報
【発明の概要】
【発明が解決しようとする課題】
【０００６】
しかしながら、通話相手との距離が遠かった場合などには、相手と出会うためのルートを口で説明しなければならず、それが複雑だった場合にはうまく伝えられずに常に画面を見ながら行動しなければならなくない場合もでてくる。
【０００７】
そこで本発明は、上記問題点に鑑みてなされたもので、通話や通信を行いながら、容易に相手と出会うことが可能な携帯端末装置を提供することを目的とする。
【課題を解決するための手段】
【０００８】
上記課題を解決するため、本発明における携帯端末装置は、他の端末と通信又は通話を行う通信手段と、通信手段による通信又は通話中に通信相手の位置情報を取得する相手位置取得手段と、自身の位置情報を取得する現在地取得手段と、現在地取得手段による自身の位置から、相手位置取得手段により取得した位置への到達経路を算出する経路算出手段と、経路算出手段により算出した情報を表示する表示手段と、を備えることを特徴とする。
【０００９】
また、本発明における携帯端末システムは、互いに通信又は通話を行う２つの携帯端末装置と、を有する携帯端末システムであって、携帯端末装置は、他の携帯端末装置と通信又は通話を行う第１の通信手段と、第１の通信手段による通信又は通話中に通信相手の位置情報を取得する第１の相手位置取得手段と、自身の位置情報を取得する第１の現在地取得手段と、第１の現在地取得手段による自身の位置から、第１の相手位置取得手段により取得した位置への到達経路を算出する第１の経路算出手段と、第１の経路算出手段により算出した情報を表示する第１の表示手段と、を備え、他の携帯端末装置は、携帯端末装置と通信又は通話を行う第２の通信手段と、自身の位置情報を取得する第２の現在地取得手段と、第２の通信手段による通信又は通話中に、第２の現在地取得手段により取得した位置情報を携帯端末装置へ送信する第２の位置情報送信手段と、を備えることを特徴とする。
【００１０】
また、本発明における携帯端末装置の位置確認方法は、他の端末と通信又は通話を行う通信ステップと、通信ステップによる通信又は通話中に通信相手の位置情報を取得する相手位置取得ステップと、取得した自身の位置から、相手位置取得ステップにより取得した位置への到達経路を算出する経路算出ステップと、経路算出ステップにより算出した情報を表示する表示ステップと、を備えることを特徴とする。
【００１１】
また、本発明における携帯端末システムの位置確認方法は、互いに通信又は通話を行う２つの携帯端末装置と、を備える携帯端末システムの位置確認方法であって、携帯端末装置による他の携帯端末装置と通信又は通話を行う第１の通信ステップと、他の携帯端末装置による携帯端末装置と通信又は通話を行う第２の通信ステップと、第２の通信ステップによる通信又は通話中に、取得した自身の位置情報を携帯端末装置へ送信する第２の位置情報送信ステップと、携帯端末装置による第１の通信ステップの通信又は通話中に通信相手の位置情報を取得する第１の相手位置取得ステップと、取得した自身の位置から、第１の相手位置取得ステップにより取得した位置への到達経路を算出する第１の経路算出ステップと、第１の経路算出ステップにより算出した情報を表示する第１の表示ステップと、を備えることを特徴とする。
【００１２】
また、本発明におけるプログラムは、他の端末と通信又は通話を行う通信処理と、通信処理による通信又は通話中に通信相手の位置情報を取得する相手位置取得処理と、取得した自身の位置から、相手位置取得処理により取得した位置への到達経路を算出する経路算出処理と、経路算出処理により算出した情報を表示する表示処理と、をコンピュータに実行させることを特徴とする。
【００１３】
また、本発明におけるプログラムは、携帯端末装置による他の携帯端末装置と通信又は通話を行う第１の通信処理と、他の携帯端末装置による携帯端末装置と通信又は通話を行う第２の通信処理と、第２の通信処理による通信又は通話中に、取得した自身の位置情報を携帯端末装置へ送信する第２の位置情報送信処理と、携帯端末装置による第１の通信処理の通信又は通話中に通信相手の位置情報を取得する第１の相手位置取得処理と、取得した自身の位置から、第１の相手位置取得処理により取得した位置への到達経路を算出する第１の経路算出処理と、第１の経路算出処理により算出した情報を表示する第１の表示処理と、をコンピュータに実行させることを特徴とする。
【発明の効果】
【００１４】
本発明により、通話や通信を行いながら相手の位置を確認でき、算出したルートに従うことで容易に通話相手と出会うことが可能となる。
【図面の簡単な説明】
【００１５】
【図１】本発明の実施形態に係る携帯端末装置の構成図である。
【図２】本発明の実施形態に係る携帯端末システムの構成図である。
【図３】本発明の実施形態に係る携帯端末システムの要部構成図である。
【図４】本発明の実施形態に係る携帯端末装置のフローチャート図である。
【図５】本発明の実施形態に係る通話中における位置確認時の模式図である。
【図６】本発明の他の実施形態に係る携帯端末装置のフローチャート図である。
【図７】本発明の他の実施形態に係る通話中における位置確認時の模式図である。
【図８】本発明の他の実施形態に係る携帯端末システムの構成図である。
【発明を実施するための形態】
【００１６】
次に、発明を実施するための最良の形態について図面を参照して詳細に説明する。
【００１７】
（第１の実施形態）
図１は、本発明の実施形態における携帯端末装置の構成図である。携帯端末装置１０１は、アンテナ１０２と、無線送受信部１０３と、制御部１０４と、スピーカ１０５と、マイクロホン１０６と、操作部１０７と、表示部１０８と、記憶部１０９と、音楽再生処理部１１０と、充電電源制御部１１１と、充電式電池１１２と、非接触通信処理部１１３と、カメラ１１４と、ＧＰＳ部１１５と、を有して構成される。
【００１８】
無線送受信部１０３は、アンテナ１０２を介して無線の送信／受信を行う。制御部１０４は、ＣＰＵ等を有し、各部の制御や位置処理及び信号処理を行う。
【００１９】
スピーカ１０５は、音声、着信音や警告音などを出力し、マイクロホン１０６は、音声を入力する。
【００２０】
操作部１０７は、テンキー及び各種ファンクションキーからなり、電話番号や各種操作のための入力を行い、表示部１０８は、液晶表示パネルからなり、装置の動作状態など各種情報を表示する。
【００２１】
記憶部１０９は、音楽データなど各種情報をフラッシュメモリ等のメモリに記憶する。音楽再生処理部１１０は、ＤＳＰ等を有し、音楽再生に関する各種処理を行う。
【００２２】
充電電源制御部１１１は、充電式電池１１２からの充電制御および各部の電源制御処理を行う。非接触通信処理部１１３は、非接触の通信システムの送信／受信を行う。
【００２３】
ＧＰＳ部１１５は、ＧＰＳ衛星からの情報を受信して位置検出を行う。
【００２４】
図２は、本発明の実施形態における携帯端末システムの構成図である。本携帯端末システムは、携帯端末装置１０１ａと、携帯端末装置１０１ｂと、基地局１１６ａと、を有して構成される。
【００２５】
図３は、本発明の実施形態における携帯端末システムにおける通話しながら相手の位置を確認するための要部構成図である。
【００２６】
図３において、携帯端末１０１ｂの制御部１０４は、位置処理部１０４ａと、通信情報結果処理部１０４ｂと、を有して構成される。
【００２７】
位置処理部１０４ａは、無線送受信部１０３にて無線送信／受信された情報を基に、位置算出や通話している携帯端末１０１ａの位置情報および携帯端末１０１ｂの位置情報における信号処理を行う。
【００２８】
通信情報結果処理部１１４ｂは、ＧＰＳ衛星１１７からの情報を受信して位置検出を行うＧＰＳ部１１５にて処理された情報と、位置処理部１０４ａにて算出された結果を基に、各部の制御を行う。
【００２９】
無線送受信部１０３は、基地局１１６からの情報をアンテナ１０２を介して、無線送信／受信を行い、基地局情報を位置処理部１０４ａに情報を送る。また、携帯端末１０１ｂの位置情報を、アンテナ１０２を介して、基地局１１６に情報を送る。
【００３０】
ＧＰＳ部１１５は、ＧＰＳ衛星から得た情報を通信情報結果処理部１１４ｂに情報を送る。
【００３１】
通信情報結果処理部１１４ｂは、ＧＰＳ部１１５にて処理された情報と位置処理部１０４ａにて処理された結果を基に、表示部１０７、スピーカ１０５等の各部の制御を動作環境下に適した状態に設定することにより、携帯端末装置の通話状態にて、通話中の相手の位置を表示しながら確認できるようにする。
【００３２】
また、携帯端末１０１ａ，１０１ｂの位置情報を基に、経路を表示することにより、通話中の相手と確実に会うことができる。また、このとき同時に音声にて位置情報を知らせることが可能である。
【００３３】
図４は、本発明の実施形態における携帯端末装置の動作を示すフローチャート図である。
【００３４】
携帯端末１０１ａ、１０１ｂにて通話処理がされると、通信情報結果処理部１１４ｂにて情報処理を行い、通話の可否を確認する（ステップＳ１０１）。
【００３５】
通話中の場合には、無線送受信部１０３にて受信された情報から信号処理を行う位置処理部１０４ａにて通話している相手の携帯端末１０１ａの位置情報（ステップＳ１０２）を取得する。
【００３６】
携帯端末１０１ｂのＧＰＳ部１１５にて位置情報（ステップＳ１０３）を取得する。この情報を基に、通信情報結果処理部１１４ｂにて、位置情報処理（ステップＳ１０４）を行い、表示部１０８に表示設定処理（ステップＳ１０５）を行うことによって、通話や通信しながら相手の位置を確認できる。
【００３７】
図５は、通話中における位置確認時の模式図である。図５（ａ）において、携帯端末装置保持者１１９ａが駅ビルのＡ出口に、携帯端末装置保持者１１９ｂが駅ビルのＢ出口にいる際に、携帯端末装置保持者１１９ａは、携帯端末装置保持者１１９bに通信を行う。
【００３８】
通話を開始した場合、図５（ｂ）に示すように携帯端末１０１ｂの表示部１０８ｂには、携帯端末装置保持者１１９ａと携帯端末装置保持者１１９ｂの位置が表示される。
【００３９】
また、携帯端末装置保持者１１９ａと携帯端末装置保持者１１９ｂの最短経路１２０と、携帯端末装置保持者１１９ａと携帯端末装置保持者１１９ｂの中間地点１２１が表示される。これにより、複雑な説明をしなくとも通話中の相手と最短経路にて出会うことが可能となっている。
【００４０】
また、通話や通信中は、携帯端末装置保持者１１９ａ移動しても、移動位置を連続して表示することができ、どのように移動しているか位置を確認できる。
【００４１】
なお、経路算出については公知の技術を用いて算出すれば良く、算出する経路は、最短経路のみに限らず、複数ルートを算出してユーザに経路を選択するよう構成しても良い。また、ユーザが手動で経路を変更できるよう構成しても良い。
【００４２】
（第２の実施形態）
本発明の第２の実施形態として、その基本的構成は上記の通りであるが、通話や通信は、携帯端末装置保持者のプライバシーを保護することができないという問題があるため、プライバシーの保護を目的とする。
【００４３】
本実施形態における携帯端末装置のフローチャート図を図６に示す。以下、図６を参照に詳細に説明する。
【００４４】
携帯端末１０１ａ、１０１ｂの通話処理がされると、通信情報結果処理部１１４ｂにて情報処理を行い、通話の可否を確認する（ステップＳ１０１）。通話中の場合には、無線送受信部１０３にて受信された情報から信号処理を行う位置処理部１０４ａにて通話している相手の携帯端末１０１ａの位置情報が含まれているか判別し（ステップＳ１０１１）、含まれている場合は、通話している相手の携帯端末１０１ａの位置情報（Ｓ１０２）を取得する。
【００４５】
携帯端末１０１ｂのＧＰＳ部１１５にて位置情報を取得する（ステップＳ１０３）。この情報を基に、通信情報結果処理部１１４ｂにて、位置情報処理を行い（ステップＳ１０４）、表示部１０８に表示設定処理を行う（ステップＳ１０５）。
【００４６】
携帯端末１０１ｂは、携帯端末１０１ａに位置情報を送りたい場合は、テンキー及び各種ファンクションキーからなり、電話番号や各種操作のための入力を行う操作部１０７にてキーを押した場合は、制御部１０４にて位置情報送信の可否を行い（ステップＳ１０６）、送信する場合は、ステップＳ１０３のＧＰＳ部１１５にて取得した位置情報を通信情報結果処理部１１４ｂにて位置情報処理を行い、位置処理部１０４ａから無線送受信部１０３に情報を送る。無線送受信部１０３では、位置処理部１０４ａから送られてきた、情報を送信する（ステップＳ１０７）。携帯端末１０１ａは、この位置情報を表示部１０８にて携帯端末１０１ａ，１０１ｂの位置を表示しながら、確認し通話を行うことができる。
【００４７】
図７は、本実施形態の通話中における位置確認時の模式図である。図７（ａ）において、携帯端末装置保持者１１９ａが駅ビルのＡ出口に、携帯端末装置保持者１１９ｂが駅ビルのＢ出口にいる際に、携帯端末装置保持者１１９ａは、携帯端末装置保持者１１９bに通信を行う。
【００４８】
通話を開始した場合、携帯端末装置保持者１１９ａが、位置情報を送信すると、図７（ｂ）に示すように携帯端末１０１ｂの表示部１０８ｂに、携帯端末装置保持者１１９ａと携帯端末装置保持者１１９ｂの位置と最短経路１２０と中間地点１２１が表示され、相手の位置を簡単に確認することができる。
【００４９】
携帯端末装置保持者１１９ｂが、位置情報を送信しない場合には、携帯端末１０１ｂより携帯端末１０１ａに対して、最短経路１２０と中間地点１２１が送信され、図７（ｃ）に示すように携帯端末１０１ａの表示部１０８ａには、携帯端末装置保持者１１９ａの位置と最短経路１２０ａと中間地点１２１が表示される。
【００５０】
携帯端末装置保持者１１９ｂが、位置情報を送信するとした場合は、図７（ｂ）と同様に、携帯端末１０１ａの表示部１０８ａに携帯端末装置保持者１１９ｂへの中間地点１２１からの最短経路１２０ｂと携帯端末装置保持者１１９ｂの位置が表示される。
【００５１】
本実施形態によれば、携帯端末装置保持者の現在位置自体を知らせることなく、最短経路の合流地点を相手に容易に伝えることができるのでプライバシーを保護することが可能である。
【００５２】
（第３の実施形態）
本発明の第３の実施形態としては、その基本的構成は上記の通りであるが、さらにその他の携帯端末装置にて、ＧＰＳ部がない場合でも、位置情報の取得が可能となっている。
【００５３】
図８は、本実施形態における携帯端末システムの構成図である。携帯端末の制御部１０４は、ＣＰＵ等を有し各部の制御や無線送受信部１０３にて無線送信／受信された情報を基に位置算出や通話している相手の携帯端末１０１ａの位置情報および携帯端末１０１ｂの位置情報の信号処理を行う位置処理部１０４ａと、位置処理部１０４ａにて算出された結果を基に各部の制御を行う通信情報結果処理部１１４ｂと、を有して構成される。
【００５４】
無線送受信部１０３は、各基地局１１６ａ、１１６ｂ、１１６ｃからの情報をアンテナ１０２を介して無線送信／受信を行い、基地局位置情報を位置処理部１０４ａに情報を送る。
【００５５】
通信情報結果処理部１１４ｂは、位置処理部１０４ａにて算出された結果を基に、現在位置情報を算出し、表示部１０７、スピーカ１０５等の各部の制御を動作環境下に適した状態に設定することにより、ＧＰＳ部がない場合でも、携帯端末装置の通話状態にて、通話中の相手の位置や経路を表示しながら確認できる。
【００５６】
また、本発明の他の実施例として、その基本的構成は上記の通りであるが、携帯端末機に使用されている通信機能に対して適用できる。例えば、ＷＬＡＮ、Ｂｌｕｅｔｏｏｔｈについても可能である。
【００５７】
以上、実施の形態を説明したが、特許請求の範囲に定義された本発明の広範囲な趣旨および範囲から逸脱することなく、これら実施の形態や具体例に様々な修正および変更が可能である。
【産業上の利用可能性】
【００５８】
携帯機器、ＰＨＳ（Personal Handyphone System）、ＰＤＡ（Personal Data Assistance，Personal Digital Assistants：個人向け携帯型情報通信機器）等の携帯端末装置であって位置検出ができる装置およびシステムにも適用可能である。
【符号の説明】
【００５９】
１０１    携帯端末装置
１０２    アンテナ
１０４    制御部
１０４ａ    位置処理部
１０４ｂ    通信情報結果処理部
１０８    表示部
１１５    ＧＰＳ部
１１６    基地局
【図１】
2010192994.tif 000003
【図２】
2010192994.tif 000004
【図３】
2010192994.tif 000005
【図４】
2010192994.tif 000006
【図５】
2010192994.tif 000007
【図６】
2010192994.tif 000008
【図７】
2010192994.tif 000009
【図８】
2010192994.tif 000010